(57)【要約】  本開示は、準大気圧源と連通するように構成された真空チャンバ３１を有するハウジング１０を備えた電動ドライバに関する。この電動ドライバは、モータと、ビットドライブスピンドル２２と、ビットドライブスピンドル２２に接続されたビット支持スリーブ２６とを含む。ビット支持スリーブ２６の後端部は、真空チャンバ３１によって取り囲まれる。ビット支持スリーブ２６は、ビット支持スリーブ２６の前端部２６ａと後端部２６ｂとの間の軸受２７によって支持される。ビット支持スリーブ２６は、その後端部２６ｂからその前端部２６ａに延びる少なくとも１つの長手真空通路２８を含む。【選択図】      図３
2021529096.tif 000002
【特許請求の範囲】
【請求項１】
電動ドライバであって、準大気圧源と連通するように構成された真空チャンバ（３１）を有するハウジング（１０）と、モータと、ビットドライブスピンドル（２２）と、該ビットドライブスピンドル（２２）に接続されたビット支持スリーブ（２６）とを備え、前記ビット支持スリーブ（２６）の前記後端部が、前記真空チャンバ（３１）によって取り囲まれ、前記ビット支持スリーブ（２６）が、該ビット支持スリーブ（２６）の前端部（２６ａ）と後端部（２６ｂ）との間を軸受（２７）によって支持され、前記ビット支持スリーブ（２６）は、その後端部（２６ｂ）からその前端部（２６ａ）に延びる少なくとも１つの長手真空通路（２８）を含む、
ことを特徴とする電動ドライバ。
【請求項２】
前記少なくとも１つの長手真空通路（２８）は、前記ビット支持スリーブ（２６）の表面における軌道である、
請求項１に記載の電動ドライバ。
【請求項３】
前記ビット支持スリーブ（２６）は、複数の長手真空通路を含む、
請求項１又は２に記載の電動ドライバ。
【請求項４】
前記複数の長手真空通路（２８）は、前記ビット支持スリーブ（２６）上に対称的に配置される、
請求項３に記載の電動ドライバ。
【請求項５】
前記長手真空通路（２８）は、前記後端部（２６ｂ）及び前記前端部（２６ａ）において丸みを帯びる、
請求項１から４のいずれかに記載の電動ドライバ。
【請求項６】
前記軸受（２７）は、該軸受（２７）を空気が通過できないように構成される、
請求項１から５のいずれかに記載の電動ドライバ。
【請求項７】
前記軸受（２７）は、前記電動ドライバ（１０）の前端に隣接する、
請求項１から６のいずれかに記載の電動ドライバ。
【請求項８】
前記ビット支持スリーブは、前記後端部（２６ｂ）をばね（３７）によって取り囲まれ、前記ばねは、前記ビット支持スリーブ（２６）を前記ビットドライブスピンドル（２２）に向けて押す、
請求項１から７のいずれかに記載の電動ドライバ。
【請求項９】
前記ばねは、前記ビット支持スリーブ（２６）を取り囲む環状要素を押して、前記環状要素が前記軸受（２７）の内側に存在する、
請求項７に記載の電動ドライバ。
【発明の詳細な説明】
【技術分野】
【０００１】
本発明は、電動ドライバに関する。具体的には、本発明は、真空アダプタに接続されるように構成された電動ドライバに関する。
【背景技術】
【０００２】
電動ドライバを使用するいくつかの用途では、ねじなどの締結具の取り扱いがとりわけ厄介である。小型のねじを取り扱う場合には特にそうである。これらの用途では、真空を使用することができる。
【０００３】
真空アダプタを使用する意図は、ねじ頭部がビット内に吸い込まれて接触するようにねじ頭部から先にねじを吸い上げることにある。その後、ねじ込み先の穴内にねじが配置されるように電動ドライバを再配置することによって締め付け動作を開始できるようになる。
【０００４】
とりわけ、本発明は、予備締め付けシーケンス（ｐｒｅ−ｔｉｇｈｔｅｎｉｎｇ  ｓｅｑｕｅｎｃｅ）において取り付けねじをビットに係合させる真空作動式ねじピックアップ機能（ｖａｃｕｕｍ  ａｃｔｉｖａｔｅｄ  ｓｃｒｅｗ  ｐｉｃｋ−ｕｐ  ｆｕｎｃｔｉｏｎａｌｉｔｙ）を有する電動ドライバに関する。
【発明の概要】
【発明が解決しようとする課題】
【０００５】
先行技術の電動ドライバでは、電動ドライバに取り付けられた真空アダプタに向かって真空が電動ドライバの外側を伝わることが多い。他の電動ドライバでは、真空チャンバを含むハウジングが電動ドライバの前方延長位置（ｆｏｒｗａｒｄｌｙ  ｅｘｔｅｎｄｅｄ  ｐｏｓｉｔｉｏｎ）に達し、吸引ノズルを取り囲むビットに真空チャンバが直接連通する。
【０００６】
このことは、ねじ位置を取り囲む構造部分にハウジングの比較的広い前方部分が容易に当接し、これによって締め付けねじにビットが到達するのを妨げてしまうことを意味する。従って、先行技術のねじドライバのハウジング及び真空チャンバの構成は、狭い又は窮屈なねじ位置への到達性に関して限界をもたらすため不利である。
【０００７】
先行技術の真空ねじピックアップ機能を有する電動ドライバに内在する別の問題点は、吸引ノズルを取り囲むビットが真空チャンバを介してハウジングに堅く取り付けられており、すなわちねじの締め付け中にビットと吸引ノズルとの間に常に相対的回転が存在する点である。これにより、ねじがぐらついて容易にビットとの接触が緩み、最終的には抜け落ちることによって工程が中断されてしまう傾向にある。とりわけ、この現象は、ねじ頭部に何らかの幾何学的不規則性が生じた場合に発生するようになる。ビットと吸引ノズルとの間の相対的回転は、締め付け工程の質に影響を与える傾向がある摩擦力も引き起こす。
【０００８】
従って、上述した問題点を解決又は少なくとも緩和できる改善された電動ドライバが必要とされている。
【０００９】
本発明の目的は、真空が電動ねじの外側を伝わらず、電動ドライバの広い前方部分が存在しない、改善された電動ドライバを提供することである。
【課題を解決するための手段】
【００１０】
この目的は、準大気圧源と連通するように構成された真空チャンバ３１を有するハウジング１０を備えた電動ドライバによる本開示の第１の態様に従って達成される。この電動ドライバは、モータと、ビットドライブスピンドル（ｂｉｔ  ｄｒｉｖｅ  ｓｐｉｎｄｌｅ）２２と、ビットドライブスピンドル２２に接続されたビット支持スリーブ（ｂｉｔ  ｓｕｐｐｏｒｔｉｎｇ  ｓｌｅｅｖｅ）２６とを含む。ビット支持スリーブ２６の後端部は、真空チャンバ３１によって取り囲まれる。ビット支持スリーブ２６は、ビット支持スリーブ２６の前端部２６ａと後端部２６ｂとの間を軸受２７によって支持される（ｊｏｕｒｎａｌｅｄ）。ビット支持スリーブ２６は、その後端部２６ｂからその前端部２６ａに延びる少なくとも１つの長手真空通路２８を含む。
【００１１】
以下、添付図面を参照しながら本発明をさらに詳細に説明する。
【図面の簡単な説明】
【００１２】
【図１】先行技術による電動ドライバを示す図である。
【図２】電動ドライバの例示的な実施形態の長手方向断面図である。
【図３】電動ドライバ１０の例示的な実施形態の前端を示す図である。
【図４】ビット支持スリーブの例示的な実施形態を示す図である。
【発明を実施するための形態】
【００１３】
図１に、先行技術による電動ドライバを示す。図から分かるように、ハウジングは、その前方出力端（ｆｏｒｗａｒｄ  ｏｕｔｐｕｔ  ｅｎｄ）に真空作動式ねじピックアップ装置を有する。ハウジングは、ねじドライバを電源に接続する手段、及びねじピックアップ装置を準大気圧源に接続する手段も有する。電動ドライバは、その前端に、取り付けて締め付ける対象のねじを拾い上げて保持するための、吸引ノズルによって取り囲まれたねじ係合ビット（ｓｃｒｅｗ  ｅｎｇａｇｉｎｇ  ｂｉｔ）を有する。図１に示すように、先行技術の電動ドライバのハウジングは、ねじ係合ビットの出力端にかなり近い位置まで延びる。このことは、ねじを締め付けた時に、目的のねじ位置に隣接する構造部分にハウジングが容易に接触するため、密接した位置に到達することが困難であることを意味する。従って、このような位置でのねじドライバの使用が妨げられてしまう。
【００１４】
図２に、本開示による電動ドライバ１０の例示的な実施形態を示す。図から分かるように、本開示による電動ドライバ１０はスリムな設計を有する。電動ドライバ１０は、真空チャンバ３１と、真空チャンバ３１を貫通するビットドライブスピンドル２２とを含む。ビットドライブスピンドル２２は、例えば締め付けねじに締め付けトルクを伝える半月形カップリング（ｈａｌｆ−ｍｏｏｎ  ｃｏｕｐｌｉｎｇ）２５を介してねじ係合ビット（図示せず）に接続することができる。電動ドライバは、ビット支持スリーブ２６をさらに含む。
【００１５】
図３には、本開示による電動ドライバ１０の前端の例示的な実施形態を示す。
【００１６】
１つの例示的な実施形態では、ビット支持スリーブ２６が、圧入を介してドライブスピンドル２２に堅く固定される。ビット支持スリーブは、軸受２７を介してハウジング１０に対して支持される。ビット支持スリーブ２６は、前端部２６ａ及び後端部２６ｂを含む。前端部２６ａは、ビットを取り囲む。ビット支持スリーブ２６の後端部２６ｂは、ハウジング１０の一部として形成されて外部準大気圧源と連通する真空チャンバ３１によって取り囲まれる。
【００１７】
さらに、ビット支持スリーブ２６は、その後端部２６ｂからその前端部２６ａに延びる少なくとも１つの長手真空通路２８を含む。ビット支持スリーブ２６内の少なくとも１つの長手真空通路２８は、前端部２６ａから真空チャンバ３１を介して外部準大気圧源までの真空経路を形成する。
【００１８】
少なくとも１つの長手真空通路２８を介した前端部２６ａへの真空経路を設けることにより、真空チャンバ３１からの一定の軸方向距離において真空を使用してねじを取得（ｆｅｔｃｈ）する構成を配置することが可能になっている。これにより、ハウジング１０の前端部をスリムにすることができる。
【００１９】
このことは、狭くて到達が困難なねじ位置に隣接する構造部分にハウジングが干渉することによってねじドライバが妨害されることがないため、このような位置に存在するねじへのアクセスが非常に容易になったことを意味する。
【００２０】
１つの例示的な実施形態によれば、少なくとも１つの長手真空通路２８は、ビット支持スリーブ２６の表面における軌道である。電動ドライバ１０のさらに別の例示的な実施形態では、ビット支持スリーブ２６が複数の長手真空通路を含む。複数の長手真空通路を有する利点は、ビット支持スリーブ２６の前端部２６ａから後端部２６ｂへのより良好な空気流を達成できる点である。
【００２１】
電動ドライバ１０のさらなる例示的な実施形態では、複数の長手真空通路２８が、ビット支持スリーブ２６上に対称的に配置される。複数の長手真空通路２８を対称的に配置することにより、ビット支持スリーブ２６の不均衡を避けることができる。
【００２２】
電動ドライバ１０さらに別の例示的な実施形態では、ビット支持スリーブ２６の後端部２６ｂ及び前端部２６ａにおいて長手真空通路２８が丸みを帯びる。真空通路の丸みを帯びた形状は、様々な工程によって取得することができる。球形ヘッドを使用したフライス加工は、フライス加工軌道（ｍｉｌｌｉｎｇ  ｔｒａｃ）の端部に半球形の幾何学的形状を取得して、空気流のためのスムーズな遷移部をもたらす丸みを帯びた端部を形成することができる。後端部２６ｂ及び前端部２６ａが丸みを帯びた長手真空通路２８による利点は、乱流が抑えられる点である。乱流は、長手真空通路２８を通る空気流を減少させるという悪影響を及ぼす。
【００２３】
電動ドライバ１０のさらなる例示的な実施形態では、軸受２７が、軸受２７を空気が通過できないように構成される。気密である軸受２７による利点は、長手真空通路２８を通る空気流が良好になる点である。電動ドライバ１０のさらなる例示的な実施形態では、軸受２７が電動ドライバ１０の前端に隣接する。
【００２４】
１つの例示的な実施形態によれば、後端部２６ｂにおいてビット支持スリーブがばね３７によって取り囲まれ、このばねがビット支持スリーブ２６をビットドライブスピンドル２２に向けて押す。さらに別の例示的な実施形態では、ばね３７が、ビット支持スリーブ２６を取り囲む環状要素３６を押して、環状要素３６が後端部２６ｂにおいて軸受２７の内側に存在する。
【００２５】
図４に、電動ドライバ１０のビット支持スリーブ２６及び軸受２７の例示的な実施形態を示す。図３で分かるように、この例示的な実施形態では、ビット支持スリーブ２６が、ビット支持スリーブ２６の後端部２６ｂ及び前端部２６ａに丸みを帯びた長手真空通路２８を含む。長手真空通路２８は、ビット支持スリーブ２６の表面における軌道として構成される。従って、図から分かるように軸受２７の内側。
【符号の説明】
【００２６】
１０  電動ドライバ
２２  ビットドライブスピンドル
２５  半月形カップリング
２６  ビット支持スリーブ
２６ａ  ビット支持スリーブの前端部
２６ｂ  ビット支持スリーブの後端部
２７  軸受
２８  長手真空通路
３１  真空チャンバ
３６  環状要素
３７  ばね
【図１】
2021529096.tif 000003
【図２】
2021529096.tif 000004
【図３】
2021529096.tif 000005
【図４】
2021529096.tif 000006
【国際調査報告】
2021529096.tif 000007
2021529096.tif 000008
2021529096.tif 000009